(57)【要約】【課題】コントラスト式ＡＦ処理において、精度よく焦点検出する。【解決手段】デジタルカメラにおいてコントラスト式ＡＦ処理を実行するとき、コントラストＡＦ方式において焦点位置を∞〜近接点側へ移動させる場合、最初に検出されたアイエリアのコントラストピークに基づいて合焦位置を判断せず、そのままフォーカシングレンズの移動を継続させる。そして、その次に検出されたアイエリアのコントラストピークが検出されると、そのピーク位置を合焦位置として判断し、焦点調整を行う。【選択図】図３
2016161685.tif 000002
【特許請求の範囲】
【請求項１】
撮像素子から読み出される画素信号のコントラスト値に基づき、合焦位置をコントラスト方式に従って検出する合焦位置検出部と、
撮影光学系をコントラスト方式に従って駆動し、検出された合焦位置に従って焦点調整を行う焦点調整部とを備え、
前記合焦位置検出部が、撮影画像の中で目の領域を表すアイエリアを対象にしてコントラスト値を算出し、
前記合焦位置検出部が、近接点方向への焦点移動では、２番目以降にコントラスト値のピークが検出されたアイエリアのピーク位置を、合焦位置として検出することを特徴とする焦点検出装置。
【請求項２】
前記合焦位置検出部が、コントラスト値のピークが検出されたアイエリアが出ると、前記撮影光学系のその後の駆動継続区間を設定することを特徴とする請求項１に記載の焦点検出装置。
【請求項３】
前記合焦位置検出部が、前記撮影光学系を駆動継続区間駆動してもＡＦ評価値のピークが検出されない場合、先に検出されたアイエリアのピーク位置を合焦位置として定めることを特徴とする請求項２に記載の焦点検出装置。  
【請求項４】
前記合焦位置検出部が、無限遠方向への焦点移動では、先にコントラスト値のピークが検出されたアイエリアのピーク位置を、合焦位置として検出することを特徴とする請求項１乃至３のいずれかに記載の焦点検出装置。
【請求項５】
請求項１乃至４のいずれかに記載された焦点検出装置を備えた撮影装置。
【請求項６】
撮像素子から読み出される画素信号のコントラスト値に基づき、合焦位置をコントラスト方式に従って検出し、
撮影光学系をコントラスト方式に従って駆動し、検出された合焦位置に従って焦点調整を行う焦点検出方法であって、
撮影画像の中で目の領域を表すアイエリアを対象にしてコントラスト値を算出し、
近接点方向への焦点移動では、２番目以降にコントラスト値のピークが検出されたアイエリアのピーク位置を、合焦位置として検出することを特徴とする焦点検出方法。
【請求項７】
撮影装置を、
撮像素子から読み出される一連の画素信号のコントラスト値に基づき、合焦位置をコントラスト方式に従って検出する合焦位置検出手段と、
撮影光学系をコントラスト方式に従って駆動し、検出された合焦位置に従って焦点調整を行う焦点調整手段とを機能させ、
撮影画像の中で目の領域を表すアイエリアを対象にしてコントラスト値を算出するように、前記合焦位置検出手段を機能させ、
近接点方向への焦点移動では、２番目以降にコントラスト値のピークが検出されたアイエリアのピーク位置を、合焦位置として検出するように、前記合焦位置検出手段として機能させることを特徴とするプログラム。
【発明の詳細な説明】
【技術分野】
【０００１】
本発明は、カメラなどの撮影装置におけるＡＦ処理（焦点検出）に関し、特に、コントラスト方式に基づいたＡＦ処理に関する。
【背景技術】
【０００２】
コンパクト型デジタルカメラ、ミラーレス一眼レフ型カメラなどでは、プレビュー撮影時にレリーズボタンを半押しすると、コントラスト方式によってＡＦ処理を行う。ＡＦ処理では、レンズを一方向に駆動しながら撮影画像のコントラストを検出し、ピーク位置を判断してレンズを合焦位置に合わせる。
【０００３】
顔検出ＡＦモードを設定すると、撮影画像の中から顔が写し出されているエリアを特定し、その顔検出エリアに対してコントラスト方式によるＡＦ処理を行う。また、瞳検出ＡＦモードを設定すると、撮影画像の中から目を検出し、目に合わせて焦点調整を行う（特許文献１参照）。  
【０００４】
そこでは、ＡＦ時において撮影画像から目（左右の目）を検出し、写し出されている領域が大きい方の目、すなわち、撮影者（カメラ）に対して距離的に近い方の目に対し、ピントを合わせる。これにより、例えば、カメラに対して顔を傾けた状態で撮影する場合においても、カメラに最も近い顔の表面側に対しピントを合わせ、良好な顔写真を得ることができる。
【先行技術文献】
【特許文献】
【０００５】
【特許文献１】特開２０１２−１２３３０１号公報
【発明の概要】
【発明が解決しようとする課題】
【０００６】
被写体となっている人物の姿勢や動き、あるいは人物の背景、周囲にある被写体などの影響により、瞳を正確に検出することができない状況が生じる。瞳検出が不安定になってサイズを比較検討できない場合、撮影者から見て距離的に近い方の目ではなく遠い方の目にピントを合わせる事態が生じ、顔全体としてはピントずれになってしまう。
【０００７】
したがって、コントラスト方式によるＡＦ処理において、撮影状況に関係なく目の位置で適切にピントを合わせることが求められる。
【課題を解決するための手段】
【０００８】
本発明の焦点検出装置は、撮像素子から読み出される画素信号のコントラスト値に基づき、合焦位置をコントラスト方式に従って検出する合焦位置検出部と、撮影光学系をコントラスト方式に従って駆動し、検出された合焦位置に従って焦点調整を行う焦点調整部とを備え、合焦位置検出部が、撮影画像の中で目の領域を表すアイエリアを対象にしてコントラスト値を算出する。
【０００９】
本発明では、合焦位置検出部が、近接点方向への焦点移動では、２番目以降にコントラスト値のピークが検出されたアイエリアのピーク位置を、合焦位置として検出する。すなわち、少なくとも２つのアイエリアに対して時系列的に異なるタイミングでピークが検出されるような撮影状況の場合、先にピークが検出されたアイエリアが生じてもそのまま焦点移動を継続し、後に検出されるアイエリアのピーク位置を合焦位置として検出する。
【００１０】
例えば、一人の人物を撮影する場合、先にピークが到来するアイエリアのピーク位置ではなく、後にピークが到来するアイエリアのピーク位置を合焦位置として検出すればよい。また、顔エリアなど、他の合焦対象エリアも含めて同時並列的にコントラスト値を算出する場合、２番目以降に対して検出されるアイエリアのピーク位置については、時系列的に見て後からピーク検出の判断がなされたアイエリアのピーク位置を合焦位置とすることができる。
【００１１】
合焦位置検出部は、先にコントラスト値のピークが検出されたアイエリアが生じると、撮影光学系のその後の駆動継続区間を設定することが可能である。この場合、合焦位置検出部は、撮影光学系を保留区間駆動してもＡＦ評価値のピークが検出されない場合、先に検出されたアイエリアのピーク位置を合焦位置として定めることが可能である。一方、合焦位置検出部は、無限遠方向への焦点移動では、先にコントラスト値のピークが検出されたアイエリアのピーク位置を、合焦位置として検出することができる。
【００１２】
本発明の焦点検出方法は、撮像素子から読み出される画素信号のコントラスト値に基づき、合焦位置をコントラスト方式に従って検出し、撮影光学系をコントラスト方式に従って駆動し、検出された合焦位置に従って焦点調整を行う焦点検出方法であって、撮影画像の中で目の領域を表すアイエリアを対象にしてコントラスト値を算出し、近接点方向への焦点移動では、２番目以降にコントラスト値のピークが検出されたアイエリアのピーク位置を、合焦位置として検出する。
【００１３】
本発明のプログラムは、撮影装置を、撮像素子から読み出される一連の画素信号のコントラスト値に基づき、合焦位置をコントラスト方式に従って検出する合焦位置検出手段と、撮影光学系をコントラスト方式に従って駆動し、検出された合焦位置に従って焦点調整を行う焦点調整手段とを機能させ、撮影画像の中で目の領域を表すアイエリアを対象にしてコントラスト値を算出するように、合焦位置検出手段を機能させ、近接点方向への焦点移動では、２番目にコントラスト値のピークが検出されたアイエリアのピーク位置を、合焦位置として検出するように、合焦位置検出手段として機能させる。
【発明の効果】
【００１４】
本発明によれば、コントラスト式ＡＦ処理において、精度よく焦点検出することができる。
【図面の簡単な説明】
【００１５】
【図１】本実施形態であるデジタルカメラのブロック図である。
【図２】コントラスト式ＡＦ処理のフローチャートである。
【図３】撮影画像における顔エリア、瞳エリアを示した図である。
【図４】焦点を無限遠から近接点方向へ移動させた場合の瞳エリア、顔エリアのコントラスト分布を示した図である。
【図５】撮影画像および顔エリアの削除範囲を示した図である。
【図６】カメラを縦にして撮影した場合の削除範囲を示した図である。
【図７】撮影画像および顔エリアの削除範囲を示した図である。
【図８】カメラを縦にして撮影した場合の削除領域ＣＦを示した図である。
【発明を実施するための形態】
【００１６】
以下では、図面を参照して本実施形態であるデジタルカメラについて説明する。
【００１７】
図１は、第１の実施形態であるデジタルカメラのブロック図である。
【００１８】
デジタルカメラ１０は、例えばミラーレス型カメラとして構成されており、図示しないレリーズボタン、モードダイヤル、十字ボタンなどに対する操作に従い、撮影動作、記録画像の再生、ユーザによるモード設定などが行われる。
【００１９】
ＣＰＵを含むコントローラ３０は、露出制御部３２、タイミングジェネレータ１８、画像信号処理回路４０などに制御信号を出力し、レリーズスイッチ３７によって検出されるレリーズ操作、モードダイヤルスイッチ４２によって検出されるダイヤル操作、ボタンスイッチ４４によって検出される十字ボタン操作に基づき、露出制御、撮影／記録動作などカメラ全体の動作制御を行う。カメラ動作制御のプログラムは、図示しない不揮発性メモリに記憶されている。
【００２０】
電源ＯＮによって撮影モード状態になると、被写体からの光が撮影光学系１２を通り、被写体像がイメージセンサ１４に形成される。イメージセンサ１４は、ここではＣＣＤ、ＣＭＯＳセンサなどの撮像素子によって構成されており、Ｒ，Ｇ，Ｂなどのカラーエレメントを２次元配列させた色フィルタアレイ１４Ａが、イメージセンサ１４の受光面上に対向配置されている。
【００２１】
撮影モードでは、スルー画像をＬＣＤ６０に表示するため、画素信号が所定のフレームレートでイメージセンサ１４から読み出される。読み出された画素信号は、画像信号処理回路４０に送られる。画像信号処理回路４０では、ゲイン処理、ホワイトバランス処理、Ｒ，Ｇ，Ｂ変換処理などが画素信号に対して施され、画像信号が生成される。ＬＣＤドライバ６１は、画像信号に基づいてＬＣＤ６０を駆動し、これによって、リアルタイムの動画像がスルー画像としてＬＣＤ６０に表示される。
【００２２】
レリーズボタンが半押しされると、イメージセンサ１４から読み出される画素信号に基づいて、コントラスト式ＡＦ処理が実行される。レンズ駆動部３６は、コントラスト方式に従い、焦点が一方向（∞〜近接点、もしくはその逆）へ移動するように、撮影光学系１２に含まれるフォーカスレンズを駆動する。
【００２３】
その間、所定の時間間隔でイメージセンサ１４から読み出されたＲ，Ｇ，Ｂの画素信号に基づき、Ｒ，Ｇ，Ｂそれぞれに応じた各色のコントラスト値が求められる。そして、Ｒ，Ｇ，Ｂのコントラスト値の総和となるＡＦ評価値（以下、コントラスト値とする）が算出される。コントローラ３０は、フォーカスレンズの移動過程でコントラストピークを検出し、その時のフォーカスレンズの位置を合焦位置として判断する。そして、レンズ駆動部３６によりフォーカスレンズが合焦位置へ移動する。
【００２４】
コントラスト式ＡＦ処理による合焦動作とともに、イメージセンサ１４から読み出される画素信号に基づいて被写体像の明るさが検出され、露出値が演算される。レリーズボタンが全押しされると、露出制御部３２は、図示しないシャッタ、絞り等を駆動することによって露出制御する。これにより、１フレーム分の画素信号がイメージセンサ１４から読み出される。画像信号処理回路４０は、読み出された画素信号に基づいて静止画像データを生成し、圧縮／非圧縮した状態で画像データをメモリカード４６、あるいはＲＯＭ４８に記録する。
【００２５】
図２は、コントラスト式ＡＦ処理のフローチャートである。レリーズボタンが半押しされると、ＡＦ処理が開始される。
【００２６】
ステップＳ１０１では、１フレームもしくは１フィールド分の撮影画像のデータに基づき、撮影画像の中で被写体となっている人物の顔を検出するとともに、顔の中の瞳（目）を検出する。具体的には、撮影画像の中で顔の部分に相当するエリア（以下、顔エリアという）と、目の部分に相当するエリア（以下、アイエリアあるいは瞳エリアという）が撮影画像の中で抽出される。また、抽出された顔、瞳エリアを示すフレームを撮影画像に重ねて表示するように、表示処理が行われる。
【００２７】
顔および瞳の検出方法は、従来公知の方法を適用することが可能であり、例えば、肌色などの割合が多い領域検出、楕円形のエッジ検出などによって顔を検出する。また、瞳検出については、顔エリアの中で明暗が顕著な領域の検出などによって行われる。
【００２８】
図３は、撮影画像における顔エリア、瞳エリアを示した図である。図３では、被写体である人物の視線がカメラのレンズ方向から逸れている状況で撮影した撮影画像ＩＭを示しており、顔エリアＦＡ、両目のアイエリアＰＡ１、ＰＡ２が設定されている。以下では、図３の被写体を撮影していることを前提として処理を説明する。
【００２９】
また、顔および瞳エリアの抽出とともに、顔の傾き角度（ローリング）、顔の横揺れ（ヨーイング）も合わせて検出される。顔の傾き角度は、例えば、カメラを水平に構えた状態で撮影したときに人物を撮影すると顔が撮影画像の垂直方向に沿って通常写し出されることを考慮し、撮影画像の顔エリア中心を通る縦方向の線を基準線とし、基準線に対する顔横断線の角度を顔の傾き角度として求めることができる。
【００３０】
顔横断線は、例えば両目の中心と鼻に沿った線などによって規定することが可能である。また、頭の中心軸周りの顔の揺れを表すヨーイング角度についても、従来公知の方式によって求めることができる。
【００３１】
抽出された顔エリア、瞳エリアに対して焦点調整を行うため、焦点を連続的に一方向へ移動させるようにフォーカシングレンズが駆動開始し、それに合わせてイメージセンサ１４から読み出される１フレーム分の画素信号に基づいて、顔エリアおよび瞳エリアのコントラスト値が算出される（Ｓ１０３）。なお、焦点移動方向（∞〜近接点もしくは近接点〜∞）は、被写体までの撮影距離、レンズ位置などに基づいて定められる。
【００３２】
焦点が近接点から∞方向へ移動する場合、フォーカシングレンズを駆動している間、所定の時間間隔で読み出される画素信号からコントラスト値が算出される。図３に示すように左目、右目の瞳エリアＰＡ１、ＰＡ２が設定された場合、各瞳エリアに対してコントラスト値が別々に算出される。
【００３３】
図４は、焦点を無限遠から近接点方向へ移動させた場合の瞳エリア、顔エリアのコントラスト分布を示した図である。図４では、所定時間間隔（例えば、１フレーム／フィールド期間）で算出される瞳エリア、顔エリアのコントラスト値Ｃ１、Ｃ２、Ｃ３をそれぞれ示しており、それぞれピーク位置を頂点とする山なりの分布曲線ＰＦ１、ＰＦ２、ＰＦ３に沿った値となる。
【００３４】
図３に示すように、被写体の顔Ｆの向きの関係から、右目Ｐ１の方が左目Ｐ２よりもデジタルカメラ１０から離れた位置にある。したがって、焦点をカメラ側へ移動させる場合、右目の瞳エリアＰＡ１において、最初にコントラストピーク位置が通過する。
【００３５】
ここでは、焦点移動中にコントラスト値が増加から減少に転じ、その減少が３回維持されると、コントラストピークを通過したと判断し、ピーク位置を過去のコントラスト値に基づいて取得する。また、ピーク位置をメモリに保存する（Ｓ１０６、Ｓ１０７）。
【００３６】
さらにステップＳ１０７では、継続して焦点移動させる距離間隔を保留区間（駆動継続期間）Ｘ０として設定し、そのままフォーカシングレンズを駆動させる（Ｓ１０７）。保留区間Ｘ０は、あらかじめ定めた距離間隔に設定される。
【００３７】
焦点をさらに移動させていく中で、左目の瞳エリアＰＡ２におけるコントラストピークが過ぎたとコントラスト値の変化に基づいて判断されると、このピーク位置を合焦位置として検出し、フォーカシングレンズを駆動する（Ｓ１０８、Ｓ１０９）。このとき、顔エリアのコントラスト値の変化も参照しながらピーク位置を判断してもよい。
【００３８】
図４では、最初のコントラストピーク検出から焦点がＸ（ここでは、焦点継続移動区間という）だけ進んだ時点で、次のコントラストピーク位置が判断されている。左目Ｐ２は、右目Ｐ１と比べて被写体距離が顔Ｆに近い。そのため、左目のアイエリアＰＡ２に対してピント合わせが行わると、顔Ｆの表面付近でピントが合うことになり、被写体に対して適切なピント位置で撮影することが可能となる。なお、焦点継続移動区間Ｘは、被写体距離、被写界深度、レンズ位置などによって様々である。
【００３９】
一方、被写体の動きや変化といった撮影状況の変化などによって、保留区間分だけ焦点が移動してもコントラストピークが検出されない場合、保存された右目の瞳エリアＰＡ１のピーク位置を合焦位置として定め、焦点調整が行われる（Ｓ１１０、Ｓ１１１）。なお、右目の瞳エリアＰＡ１のピーク位置の代わりに、顔エリアのピーク位置を保存し、それを合焦位置としてもよい。
【００４０】
逆に、焦点を近接点から∞方向へ移動させる場合、最初にコントラストピークが検出されるまでフォーカシングレンズが駆動される。コントラストピークが検出されると、そのコントラストピークが検出されたアイエリアに対してピントを合わせるように、焦点調整が行われる（Ｓ１０３〜Ｓ１０５）。
【００４１】
なお、顔エリア、瞳エリア以外の合焦対象となるエリアについても、撮影画像の中で特定し、並列的にコントラスト値を算出するようにしてもよい。この場合、エリアとして２番、３番目以降にピーク位置が検出されることもあるが、先に検出されたアイエリアのピーク位置ではなく後に検出されたアイエリアのピーク位置を合焦位置として検出すればよい。また、複数人を撮影する場合などにおいては、３番、４番目以降にピーク検出となるアイエリアに対し、時系列的に後で検出されるアイエリアのピーク位置を合焦位置として定めればよい。同時にアイエリアのピークが検出される場合、一方を合焦位置とすればよい。
【００４２】
このように本実施形態によれば、コントラストＡＦ方式において焦点位置を∞〜近接点側へ移動させる場合、最初に検出されたアイエリアのコントラストピークに基づいて合焦位置を判断せず、そのままフォーカシングレンズの移動を継続させる。そして、その次に検出されたアイエリアのコントラストピークが検出されると、そのピーク位置を合焦位置として判断し、焦点調整を行う。
【００４３】
瞳エリアのサイズなどを判定して焦点調整対象となるアイエリアを事前に特定するのではなく、両方のアイエリアに対してコントラスト値を算出し、最初にピークが検出されてもレンズ駆動を継続し、その次にピークが検出されたアイエリアに対してピントを合わせる。これにより、顔全体に対してもピントの合っている良好な画像を得ることができる。また、焦点を逆の方向へ移動させる場合、最初にピークが検出されると、そのピーク位置を合焦位置と判断するため、顔にピントの合う画像を得ることができる。
【００４４】
次に、図５、６を用いて、第２の実施形態について説明する。第２の実施形態では、顔エリアを対象として焦点検出を実行し、顔エリアの一部を削除する。それ以外の構成については、実質的に第１の実施形態と同じである。
【００４５】
図５は、撮影画像および顔エリアの削除範囲を示した図である。
【００４６】
顔エリアＦＡのサイズは、被写体となっている人物の顔サイズに合わせて規定されるが、顔の画像領域と一致しない場合が多い。図５では、顔エリアＦＡが実際の顔のサイズよりも大きく設定されている。その結果、人物の背景にある被写体Ｎ’（ここでは建造物）の一部が顔エリアＦＡに入り込む。顔エリアに対して焦点検出を行った場合、背景の被写体Ｎ’にピントを合わせてしまうことになる。
【００４７】
そのため、顔エリアＦＡの一部を削除する。通常の撮影（デジタルカメラ１０を横向き）では、撮影画像の上下方向に沿って顔が写し出されることが一般的であることから、顔エリアＦＡのサイドに沿った削除領域ＣＦを削除してエリアを設定する。サイド領域ＣＦの幅はあらかじめ定められている。
【００４８】
一方、カメラの撮影方向によっては、撮影画像において被写体像の向きが撮影画像の垂直方向に沿っていない。その場合、顔の傾きに応じて削除領域ＣＦを変化させる。すなわち、削除領域ＣＦの幅を変える。顔の傾き角度については、ここでは、上述した撮影画像における垂直方向に沿った基準線Ｌに対する顔横断線Ｎ０の角度を求めるが、これ以外の顔の傾き角度検出方法を用いてもよい。
【００４９】
図５では、顔の傾き角度αは０であり、顔横断線Ｎ０と撮影画像ＩＭの基準線Ｌとがほぼ一致しているが、顔横断線Ｎ’が図５のように位置する顔の傾き角度αが生じた場合、削除領域ＣＦだけ顔エリアを狭くする。ここでは、傾き角度αが６０度まで削除領域ＣＦを設定し、その削除領域ＣＦの幅は一定とする。これにより、左右方向幅の狭い顔エリアＦＡ’が設定される。
【００５０】
一方、デジタルカメラ１０を縦にして撮影した場合、被写体となる顔は、撮影画像ＩＭ１の横方向に沿って写し出される。そのため、撮影画像ＩＭ１の基準線Ｌに対して顔横断線Ｎ０は９０度傾く。このような場合、その顔の表示方向に合わせて削除領域ＣＦを定めなければならない。
【００５１】
図６は、デジタルカメラ１０を縦に位置決めして撮影した場合の削除範囲を示した図である。削除領域ＣＦは、顔エリアＦＡの左右方向のサイドに規定される。また、顔の傾き角度αが３０度以上になって削除領域ＣＦを設定する。図５、６から明らかなように、傾き角度αが３０度から６０度の範囲では、顔エリアＦＡの上下方向および左右方向両方に沿ってサイドに削除領域ＣＦが設定される。
【００５２】
このように第２の実施形態では、顔の傾き角度に応じて顔エリアの一部を削除する。これにより、背景の被写体が顔エリアに含まれるのを防ぐことができる。なお、顔の方無為角度が大きくなるほど、削除領域のサイズ（幅）を小さくするように設定してもよい。
【００５３】
なお、第１の実施形態のように瞳エリアの焦点位置を検出する構成とは関係なく、撮影画像から顔の部分を検出し、顔エリアを対象として焦点検出を行う焦点検出手段において、顔エリアの上下あるいは左右方向に沿った両端部分を部分的に削除する構成にすれば、良好にピント合わせをすることができる。
【００５４】
次に、図７、８を用いて、第３の実施形態について説明する。第３の実施形態では、瞳エリアの一部を削除する。それ以外については、実質的に第２の実施形態と同じである。
【００５５】
図７は、撮影画像および顔エリアの削除範囲を示した図である。図８は、カメラを縦にして撮影した場合の削除領域ＣＦを示した図である。
【００５６】
図７では、撮影画像ＩＭ１において、瞳エリアＰＡ１、ＰＡ２の一部が顔エリアＦＡから外れている。その結果、瞳エリアＰＡ１を対象にして焦点検出を行った場合、背景の被写体ＢＬにピントを合わせてしまう恐れがある。
【００５７】
これを防ぐため、瞳エリアＰＡ１、ＰＡ２の一部を顔エリアＦＡの上下方向に沿ってフレームからはみだす部分だけ削除する。図７では、顔エリアＦＡから出ている削除領域ＣＦを設定することによって、新たに瞳エリアＰＡ１’、ＰＡ’２が定められている。また、顔の傾き角度に応じて削除領域ＣＦのサイズ（幅）を変更する。一方、デジタルカメラ１０を縦にして撮影した場合、顔エリアＦＡの左右方向に沿ってフレームからはみだす部分を削除する（図８参照）。
【００５８】
ところで、第２の実施形態で示したように顔エリアを部分的に削除した場合、瞳エリアに対して顔エリアが小さくなり、瞳エリアのほとんどが顔エリアに含まれない状態が撮影状況によって生じる。図８では、あらたに設定された顔エリアＦＡ’に対して瞳エリアＰＡ１’、ＰＡ２’がフレーム内に実質的に含まれていない。
【００５９】
このような事態を避けるため、顔の傾き角度３０度〜６０度（図７、８の符号ＰＡ参照）においては、削除領域ＣＦを設定せず、瞳エリアは元のサイズのまま焦点検出が行われる。これにより、瞳について確実にピントを合わせることができる。
【００６０】
このように第３の実施形態によれば、瞳エリアをサイドに沿って部分的に狭めてから、焦点検出を行う。第１の実施形態のように瞳エリアの合焦位置を検出することに関係なく、撮影画像の中で目を検出し、サイドに沿って部分的に削除したアイエリアを設定する構成にすることによって、上述した背景に良好なピント合わせをすることができる。
【００６１】
なお、顔のヨーイング、すなわちカメラに対する顔の向いている方向の角度を検出し、その角度に応じて顔エリアおよび／もしくは瞳エリアについて部分的に上下方向あるいは左右方向に沿って削除するようにしてもよい。
【００６２】
なお、デジタルカメラ以外の撮影機能を備えた携帯機器などにも適用可能である。
【符号の説明】
【００６３】
１０  デジタルカメラ
１２  撮影光学系
１４  イメージセンサ
３０  コントローラ（焦点調整部、合焦位置検出部）
ＰＡ１、ＰＡ２  アイエリア
Ｘ  保留区間（駆動継続期間）
【図１】
2016161685.tif 000003
【図２】
2016161685.tif 000004
【図３】
2016161685.tif 000005
【図４】
2016161685.tif 000006
【図５】
2016161685.tif 000007
【図６】
2016161685.tif 000008
【図７】
2016161685.tif 000009
【図８】
2016161685.tif 000010